(57)【要約】【課題】  高枝剪定鋏先端の鋏と操作ハンドルとの距離調節を可能ならしめる。【解決手段】  長柄（２）の後端近くにあって、該長柄に沿って移動可能なハンドル（４）に、これとレバーピン（１０）で係合し且つ中間の蝶番（７）で上下に二分割して折れ曲がるレバー（５）を具備することにより、レバー下片（５ｂ）が引かれた時には、レバー上片（５ａ）の下端面とレバー下片（５ｂ）の上端面とが対向して挟持体（６）を構成し、両端面間を挿通したケーブルワイヤー（３）を挟持してこれを牽引し、長柄先端にあって該ケーブルワイヤーと係合する鋏（１）の可動刃（１ａ）を閉じるが、レバーが放されると挟持が解かれ、これに伴ってハンドル（４）とケーブルワイヤー（３）との係合関係も解かれてハンドルの任意移動が可能となり、鋏（１）との距離調節も可能となる。【選択図】図１
0003116430.tif 000002
【実用新案登録請求の範囲】
【請求項１】
長柄に沿って移動可能なハンドルと、これとレバーピンで係合するレバーとを有し、該レバーがその中間部の蝶番で上下に二分割され、レバー下片がハンドルと反対方向に折れ曲がる構造にあり、該レバー下片をハンドル方向に引いて回動させ、上下のレバーを閉成した時に、レバー上片の下端面とレバー下片の上端面とが対向して挟持体を構成し、両者間を挿通した線状駆動力伝達部材を狭持して牽引する構造を持つ、高枝剪定鋏の操作機構。
【請求項２】
スチール製の棒を螺旋状にしたアウターチューブが、多数の鋼線を撚って作られたインナーケーブルを外皮状に包んだ構造にあり、且つその片側終端部で該アウターチューブの端末部材が該インナーケーブルの端末部材に当接する構造を持つケーブルワイヤーを挟持体の間に挿通した事を特徴とする、請求項１の高枝剪定鋏の操作機構。
【請求項３】
パイプ状の長柄の中を挿通させたケーブルワイヤーの途中にフックを装着した事を特徴とする、請求項１の高枝剪定鋏の操作機構。
【考案の詳細な説明】
【技術分野】
【０００１】  この考案は造園、果樹農園などで用いられる高枝剪定鋏の先端に取り付けられた鋏と操作位置との距離調節を可能ならしめる操作機構に関するものである。
【背景技術】
【０００２】  従来の高枝剪定鋏の多くはその操作位置が長柄後端に固定されており、例えば脚立、梯子などに登ってこれを使用し、剪定鋏全長より手前にある枝を切ろうとした時、操作レバーに手が届く限界まで該剪定鋏を後退させても、長柄が長過ぎて目標の枝を越えてしまい、その都度脚立を下りて切りたい枝との距離に見合う場所まで脚立位置を移動させてから再び登って操作しなければならないという不便があった。
【考案の開示】
【考案が解決しようとする課題】
【０００３】  本考案は上述の難点を取り除き、脚立などの上でも容易に先端部の鋏と操作ハンドルとの距離を調節可能ならしめる為になされた。
【課題を解決させる為の手段】
【構成】
【０００４】  本考案は主として鋏（１）、長柄（２）、ケーブルワイヤー（３）、ハンドル（４）、レバー（５）、挟持体（６）によって構成され、本考案主体部分であるハンドル（４）はパイプ状の長柄（２）の後端近くにあり、該長柄（２）の先端には鋏（１）が取り付けられ両者の中間には補助握り（１１）が配置される。
【０００５】  長柄（２）は先端の鋏（１）と貫通穴（２ａ）との間の適当な位置において二分割可能で、長柄後半部（２ｂ）と長柄前半部（２Ｃ）とがユニオン（２ｄ）によって連結されている。
【０００６】  ケーブルワイヤー（３）は鋼線を撚って作られたインナーケーブル（３ａ）を、スチールロッドを螺旋状にしたアウターチューブ（３ｂ）が包んだ構造にあり、比較的柔軟に彎曲させる事が可能で、且つその後端部で該アウターチューブの端末スリーブ（３ｄ）が該インナーケーブルの端末係止部材（３ｃ）と当接している。インナーケーブル（３ａ）は先端部で鋏（１）の可動刃（１ａ）に結ばれてこれと係合している。可動刃（１ａ）は通常コイルスプリング（９）に付勢され開いている。該ケーブルワイヤーは鋏（１）の近くではパイプ状の長柄（２）の内部を挿通しているが、途中の貫通穴（２ａ）から長柄の外に抜け出て、補助握り（１１）のスリット（１１ｂ）を挿通した後、レバー部で挟持体（６）の間を通り、更にハンドル（４）に明けられた貫通穴（４ｃ）を通って後方まで抜け出ている。長柄前半部（２ｃ）の後端部付近、即ちユニオン（２ｄ）によって長柄後半部と長柄前半部とが連結される位置付近の内部にあって、ケーブルワイヤー（３）にストラップ（３ｅ）及びフック（３ｆ）とが装着されている。
【０００７】  ハンドル（４）の上部は長柄（２）の外周を囲うスリーブ状になっていて該長柄に沿って移動可能な状態にある。該スリーブ（４ａ）には握りボルト（４ｂ）があって、長柄に対するハンドル（４）の固定を可能ならしめている。更に該ハンドルにはこれと系合し、且つ蝶番（７）で上下に二分割して反ハンドル方向に折れ曲がるレバー（５）がレバーピン（１０）部に枢着されている。
【０００８】  レバー（５）のレバー上片（５ａ）は普段スプリング（８）により前方に付勢されており、レバー下片（５ｂ）はストッパー（１２）の規制範囲内で蝶番（７）から自由に垂れ下がって上下レバー片の間を挿通したケーブルワイヤー（３）を自由にしている。しかしレバー下片（５ｂ）がハンドル方向へ引かれた時にはレバー上片（５ａ）の下端面とレバー下片（５ｂ）の上端面とが対向して挟持体（６）を構成し、両端面間を挿通したケーブルワイヤーを狭持する構造にある。
【０００９】  挟持体（６）の対向面には摩擦パッド（６ａ）が貼られており、該摩擦パッドには摩擦性と多少の弾力性が有り、且つケーブルワイヤーを狭持するに適当な大きさの溝がある。
【００１０】  補助握り（１１）は先端の鋏（１）とハンドル（４）との中間にあり、ハンドル（４）と同様に長柄に沿っての移動が可能で、且つ握りボルト（１１ａ）が該補助握りの長柄への固定を可能ならしめている。
【００１１】  挟持体側面にはストッパー（１２）がある。長柄後端にはパイプエンド（１３）がる。
【各部品の働きと相互関係】
【００１２】  鋏（１）の可動刃（１ａ）は普段コイルスプリング（９）に付勢されて開いているが、これと係合するインナーケーブル（３ａ）が後方に引かれると回動して閉じ、固定刃（１ｂ）との間に入った剪定対象の枝を切断する。
【００１３】  ハンドル（４）の上部にある握りボルト（４ｂ）は該ハンドルの位置を長柄（２）に対し固定する働きをする。
【００１４】  挟持体（６）はその間を挿通させたケーブルワイヤーを挟持する働きをし、レバー下片（５ｂ）がハンドル（４）の方向に引かれると該挟持体がケーブルワイヤー（３）をアウターチューブ（３ｂ）ごと挟持してこれを後方へ引く。
【００１５】  その際挟持体の対向面に貼られた摩擦パッド（６ａ）はケーブルワイヤーの損耗を軽減すると共に把握力を高める働きをする。
【００１６】  挟持体（６）がアウターチューブ（３ｂ）を挟持して後方へ引くと、後端部で該アウターチューブの端末スリーブ（３ｄ）がインナーケーブルの端末係止部材（３ｃ）に当接して駆動力をインナーケーブル（３ａ）に伝達し、更にインナーケーブルの動きに伴って先端の可動刃（１ａ）が回動して刃を閉じる。
【００１７】  レバー下片（５ｂ）を放せばスプリング（８）の作用でレバー上片（５ａ）が元の位置に戻ってケーブルワイヤー（３）を解放し、同時に可動刃（１ａ）も開く。この状態ではハンドル（４）とケーブルワイヤー（３）との係合関係も解除される為、握りボルト（４ｂ）を緩めればハンドル（４）の移動が可能となる。
【００１８】  補助握り（１１）は使用者が片手でレバーを操作する際に反対側の手で長柄を支承する為にあり、握りボルト（１１ａ）を緩めるか締めるかによって長柄に沿っての移動、固定が可能である。ケーブルワイヤー（３）が該補助握り（１１）のスリット（１１ｂ）を貫通している為、特にケーブルワイヤーが長柄の外に出ている部分で、使用者が可動のケーブルワイヤーと長柄とを共に握るのを回避させている。
【００１９】  ストッパー（１２）はレバーから手を放した時にレバー下片（５ｂ）が振れ遊ぶのを抑止する。
【００２０】  長柄（２）の途中にあるユニオン（２ｄ）を緩めて該長柄を二分割する事が可能で、非使用時の収納を容易ならしめている。
【００２１】  該ユニオン付近の長柄内部を挿通するケーブルワイヤーに装着されているストラップ（３ｃ）及びフック（３ｆ）は、長柄を二分割して本剪定鋏を収納する際、該ストラップ（３ｅ）を持ってケーブルワイヤーを引き出してフック（３ｆ）をネジ部（２ｅ）に掛けることによって先端の可動刃を閉成する為にある。
【使用方法】
【００２２】  使用者が本剪定鋏を使用中に、切ろうとする枝と操作位置との距離を調節する必要が生じた場合、一旦握りボルト（４ｂ）を緩めてハンドル（４）を任意の位置まで移動させ、そこで再び握りボルトを締める。切りたい枝に鋏が届いた処で、ハンドルを把持してレバー下片（５ｂ）を引くと、挟持体（６）がケーブルワイヤー（３）を挟持して後方へ引く。
【００２３】  この駆動力は一次的にはアウターチューブ（３ｂ）が受け、後端部で当接する端末部材を介して二次的にインナーケーブル（３ａ）に伝えられ、最終的に先端の可動刃に伝わってこれが閉じられ、枝が切られる。
【００２４】  その際、操作する手と反対の手で補助握り（１１）を把持して長柄を支承すれば可動のケーブルワイヤーを長柄と共に握らずに済む。補助握りの位置を調節する場合には握りボルト（１１ａ）を緩めて調節する。
【００２５】  枝切り後レバー下片（５ａ）から手を放せばハンドル（４）とケーブルワイヤー（３）との係合関係が解かれて、再びハンドルの位置調節が可能となる。
【００２６】  本剪定鋏の使用を終えて収納場所に収納する際は一旦ハンドル（４）を前方に移動させてから、長柄途中のユニオン（２ｄ）を緩めて、該長柄を二分割し、ストラップ（３ｅ）を持って内部のケーブルワイヤーを多少引き出してフック（３ｆ）をネジ部（２ｅ）に掛ける。これにより長尺の剪定鋏の収納が容易になり、且つ可動刃（１ａ）を閉成させた状態での収納が可能となる。
【考案の効果】
【００２７】  本考案により長柄先端の鋏と操作ハンドルとの距離を容易に調節する事が可能となる。
【考案を実施するための最良の形態】
【００２８】  本考案の操作機構に於いて、鋼線を撚って作られたインナーケーブルだけを駆動力伝達媒体として用いる事も可能であるが、インナーケーブルを挟持体で直接挟持した場合、その把握力は不十分で、仮に把握力を増す対策をすれば該インナーケーブルが早期に損耗する恐れがある。この損耗を予防し、且つケーブルワイヤーの把握力を確保する目的から、挟持体によるインナーケーブルの直接挟持を避け、一次的駆動力伝達媒体としてアウターチューブを狭持するのが良好策と言える。【００２９】  本明細書では長柄を二分割する構造を前提に説明しているが、剪定鋏の中には長柄の二分割を必要としない長さの物もある。その場合にはケーブルワイヤーの全長をやや短か目にする。これにより、非使用時にハンドル（４）を最後端まで後退させて固定させることによって貫通穴（４ｃ）にケーブルワイヤーの端末スリーブ（３ｄ）を当接させてケーブルワイヤーを後方に引き、先端の可動刃を閉成させた状態での収納が可能となる。
【実施段階で考察すべき課題】
【００３０】  本明細書では挟持体の可動周囲に設けるべきカバーについては述べていないが、実施段階では安全対策の観点から当該部位に適当な保護カバーを設ける事が望まれる。
【図面の簡単な説明】
【００３１】
【図１】は本考案部分を示す側断面図である。
【図２】は挟持体とケーブルワイヤーの係合状態を示す側断面図である。
【図３】は挟持体とケーブルワイヤーの係合状態を示す正面断面図である。
【図４】は実施例としての鋏部及び補助握り部を示す側断面図である。
【図５】は実施例としての高枝剪定鋏全体を示す外観斜視図である。
【図６】は実施例において長柄を分割し、可動刃を閉じた状態を示す外観斜視図である。
【符合の説明】
【００３２】１：鋏、  １ａ：可動刃、  １ｂ：固定刃、  ２：長柄、  ２ａ：貫通穴、  ２ｂ：長柄後半部、  ２ｃ：長柄前半部、  ２ｄ：ユニオン、  ２ｅ：ネジ、  ３：ケーブルワイヤー、  ３ａ：インナーケーブル、  ３ｂ：アウターチューブ、  ３ｃ：端末係止部材、  ３ｄ：端末スリーブ、  ３ｅ：ストラップ、  ３ｆ：フック、  ４：ハンドル、  ４ａ：スリーブ、  ４ｂ：握りボルト、  ４ｃ：貫通穴、  ５：レバー、  ５ａ：レバー上片、  ５ｂ：レバー下片、  ６：挟持体、  ６ａ：摩擦パッド、  ７：蝶番、  ８：スプリング、  ９：コイルスプリング、  １０：レバーピン、  １１：補助握り、  １１ａ：握りボルト、  １１ｂ：スリット、  １２：ストッパー、  １３：パイプエンド。
【図１】
0003116430.tif 000003
【図２】
0003116430.tif 000004
【図３】
0003116430.tif 000005
【図４】
0003116430.tif 000006
【図５】
0003116430.tif 000007
【図６】
0003116430.tif 000008